(57)【特許請求の範囲】
【請求項１】
小端部と大端部を有するロッド本体と、前記大端部に締結され前記大端部と協同して軸受孔を形成するキャップ部とを備えるコネクティングロッドの前記大端部と前記キャップ部の合わせ面で前記軸受孔の孔軸線方向に延在する一対の外端縁を面取り加工する面取り加工方法において、
前記孔軸線上の点を回転中心として回転可能でかつ回転時に前記一対の外端縁に対向する面取り加工用チップを有するチップホルダを、前記大端部に対して相対的に回転させて前記一対の外端縁に面取り加工を施すことを特徴とするコネクティングロッドの面取り加工方法。
【請求項２】
請求項１に記載の面取り加工方法によって前記一対の外端縁に面取り加工が施されたことを特徴とするコネクティングロッド。
【請求項３】
前記外端縁は、前記孔軸線上の点を半径中心とした略円弧形状を有することを特徴とする請求項２に記載のコネクティングロッド。
【発明の詳細な説明】
【０００１】
【発明の属する技術分野】
本発明は、コネクティングロッドに関し、特に大端部とキャップ部との合わせ面で孔軸線方向に延在する外端縁に面取り加工を施したコネクティングロッド及びコネクティングロッドの面取り加工方法に関する。
【０００２】
【従来技術】
図３は、コネクティングロッドの構造を説明するための概略図である。コネクティングロッド１は、図示していないエンジンのクランク室内に回転自在に支持されるクランク軸とシリンダ内に往復動可能に嵌装されたピストンとを連結する部材であり、小端部４と大端部５を有するロッド本体２と、大端部５にねじ６を介して締結され大端部５と共にクランク軸用の軸受孔８を形成するキャップ部３を有している。
【０００３】
大端部５は、軸受孔８の孔軸線Ｌｊと直交する方向に互いに離間して平行に延在する一対の平壁面１１と、その両側端間を軸受孔８の孔軸線Ｌｊ方向に延在して接続する一対の側壁面１２を有しており、キャップ部３は、大端部５の平壁面１１に連続する一対の平壁面２１と、側壁面１２に連続する一対の側壁面２２を有している。
【０００４】
また、大端部５とキャップ部３は、互いに接面される合わせ面１３、２３をそれぞれ有している。これら合わせ面１３、２３は、小端部４のピストンピン用の軸受孔７と大端部５の軸受孔８との中心を結ぶ中心線Ｌｖに対して、軸受孔８の中心で直交する面上に形成されており、大端部５とキャップ部３を結合した際に互いに協同して軸受孔８を形成する内周面１４、２４がそれぞれ設けられている。
【０００５】
大端部５の合わせ面１３とキャップ部３の合わせ面２３には、従来より、加工工程で発生したバリ等を除去する目的で、それぞれ面取り加工が施されている。図４は、従来のコネクティングロッドの要部を拡大して示した概略図であり、図４（ａ）は、図３のＡ部に該当する個所を示し、図４（ｂ）は、同図（ａ）をＢ方向から示したものである。
【０００６】
大端部５の合わせ面１３の場合、平壁面１１と合わせ面１３との間に形成される側端縁１６、内周面１４と合わせ面１３との間に形成される内端縁１７、側壁面１２と合わせ面１３との間に形成される外端縁１８にそれぞれ面取り加工を施す必要がある。
【０００７】
【発明が解決しようとする課題】
しかしながら、一対の外壁面１２と合わせ面１３との間にそれぞれ形成される一対の外端縁１８にそれぞれ面取り加工を施すためには、一方の外端縁１８に面取り加工を施した後に、他方の外端縁１８に面取り加工を施すためにロッド本体の姿勢を変更する必要がある。
【０００８】
例えば、グラインダーなどの面取り加工機では、一方の外端縁１８を面取り加工した後に、ロッド本体２の支持姿勢を変更する作業が必ず必要であり、その分だけ作業工程数が多くなり、製造コストの低減を図ることは困難であった。
【０００９】
また、図示していないが、キャップ部３の合わせ面２３の場合も、同様の箇所に面取り加工を施す必要があり、一対の外端縁にそれぞれ面取り加工を施すためには同様の問題があった。
【００１０】
本発明は、上記問題に鑑みなされたものであり、その目的は、より簡単かつ短時間で外端縁に面取り加工を施すことができるコネクティングロッド及びコネクティングロッドの面取り加工方法を提供することにある。
【００１１】
【課題を解決するための手段】
上記目的を達成するための請求項１に記載の発明によるコネクティングロッドの面取り加工方法は、小端部と大端部を有するロッド本体と、大端部に締結され大端部と協同して軸受孔を形成するキャップ部とを備えるコネクティングロッドの大端部とキャップ部の合わせ面で軸受孔の孔軸線方向に延在する一対の外端縁を面取り加工する面取り加工方法において、孔軸線上の点を回転中心として回転可能でかつ回転時に一対の外端縁に対向する面取り加工用チップを有するチップホルダを、大端部に対して相対的に回転させて一対の外端縁に面取り加工を施すことを特徴とする。
【００１２】
請求項１に記載した面取り加工方法の発明によれば、孔軸線上の点を中心に該孔軸線上の点から外端縁までを半径として回転する加工チップにより、大端部或いはキャップ部の合わせ面に形成されている一対の外端縁を、従来のようにロッド本体やキャップ部の保持姿勢を変更することなく、１工程で一度に面取り加工することができる。従って、面取り加工時における作業工程数を削減でき、製造コストを低下させることが可能となる。
【００１３】
請求項２に記載した発明によるコネクティングロッドは、請求項１に記載の面取り加工方法によって前記一対の外端縁に面取り加工が施されたことを特徴とする。
【００１４】
請求項２の発明によれば、コネクティングロッドは、大端部或いはキャップ部の合わせ面に形成されている一対の外端縁に１工程で面取り加工が施される。従って、従来のようにロッド本体やキャップ部の保持姿勢を変更することなく、一度に面取り加工が施され、面取り加工時における作業工程数が少なく、製造コストの低いコネクティングロッドを提供することができる。
【００１５】
請求項３に記載した発明によるコネクティングロッドは、外端縁が、孔軸線上の点を半径中心とした略円弧形状を有することを特徴とする。請求項３の発明によれば、コネクティングロッドは、面取り加工による外端縁の面取り量が一定になる。従って、面取り加工負荷が略均一となり、換言すると面取り加工時の急激な負荷の変動が回避されて、面取り加工がよりスムーズに実施される。
【００１６】
【発明の実施の形態】
以下に本発明の実施の形態について図に基づいて説明する。図１は、本実施の形態におけるロッド本体の形状を説明する概略図であり、図３のＡ部に対応する図である。従来と同様の構成要素には同一の符号を付することでその詳細な説明を省略する。大端部５の側壁面１２と合わせ面１３との連接部、すなわち外端縁１８は、軸受孔８の孔軸線Ｌｊと中心線Ｌｖが交差する点（以下、面取り半径基準点という）Ｑを半径中心とした円弧形状をなすように形成されている（図１（ａ）及び図１（ｂ）参照）。
【００１７】
上記構成を有する大端部５の外端縁１８に面取り加工を施す方法について図２を用いて説明する。図２の符号３２は、図示していない面取り加工機の回転手段に装着されたチップホルダーであり、チップホルダー３２の回転中心から径方向に延在して大端部５の面取り半径基準点Ｑから外端縁１８までの距離と等しい長さだけ離間した位置に、大端部５の外端縁１８を面取り加工するチップ３１を備えている。
【００１８】
まず最初に、ロッド本体２は、大端部５の合わせ面１３がチップホルダー３２と対向しかつロッド本体２の中心線Ｌｖがチップホルダー３２の回転中心線Ｖの延長線上に配置されるように、図示していない面取り加工機の保持手段に保持される（図３参照）。
【００１９】
次に、回転手段によりチップホルダー３２が回転駆動され、かかる状態で大端部５の合わせ面１３がチップホルダー３２に接近する方向に移動される。これにより、チップ３１が最初に一対の外端縁１８のいずれか一方、例えば図中で上方に配置されている外端縁１８と当接してその外端縁１８に面取り加工を施し、更に１８０゜回転して他方の外端縁１８、図中では下方に配置されている外端縁１８に当接してその外端縁１８に面取り加工を施す。
【００２０】
従って、一対の外端縁１８を一度に面取り加工することができ、従来のようにロッド本体２の姿勢を変更することなく、容易に合わせ面１３の外端縁１８に面取り加工を施すことができる。これより、作業工程数を削減することができ、製造コストを低下させることが可能となる。
【００２１】
特に、面取り加工を施す外端縁１８の形状が、図１（ｂ）に示すように、面取り半径基準点Ｑを半径中心とした略円弧形状をなすように形成されていることから、面取り加工時における外端縁１８の面取り量を一方の側端縁１２から他方の側端縁１２まで一定にすることができ、面取り加工負荷が均一になり、面取り加工時の急激な負荷変動が回避されて、面取り加工をよりスムーズなものにすることができる。尚、外端縁１８の形状は、円弧形状に限定されるものではなく、面取り半径基準点Ｑを中心とした円弧形状に面取り加工できる形状であれば、直線形状や複雑な曲線形状等であってもよい。
【００２２】
以上の説明は、大端部５の外端縁１８を面取り加工する場合であり、同様にキャップ部３の外端縁の面取り加工も実施できるが、上記内容と重複するので、その詳細な説明は省略する。
【００２３】
尚、本発明は、上述の実施の形態に限定されるものではなく、本発明の趣旨を逸脱しない範囲で種々の変更が可能である。例えば、上述の実施の形態では、ロッド本体２を固定し、チップホルダー３２を回転させたが、ロッド本体２に対してチップホルダー３２を相対的に回転させるものであればよく、ロッド本体２を回転させてもよい。
【００２４】
また、上述の実施の形態では、面取り半径基準点Ｑを半径中心として外端縁１８に面取り加工を施しているが、これに限定されるものではなく、軸受孔８の孔軸線Ｌｊ上の点であれば、同様に一対の外端縁１８を一工程で一度に面取り加工することができる。
【００２５】
【発明の効果】
以上説明したように、本発明に係るコネクティングロッド及びコネクティングロッドの面取り加工方法によれば、大端部或いはキャップ部の合わせ面に形成されている一対の外端縁を１工程で面取り加工することができるので、従来のようにロッド本体やキャップ部の保持姿勢を変更することなく、一度に面取り加工を施すことができ、面取り加工時における作業工程数の削減により製造コストを低下させることが可能となる。
【図面の簡単な説明】
【図１】本実施の形態を説明する概略図である。
【図２】外端縁の面取り加工方法を概略的に示す説明図である。
【図３】コネクティングロッドの構造を説明するための概略図である。
【図４】従来のコネクティングロッドの要部を拡大して示した概略図である。
【符号の説明】
１  コネクティングロッド
２  ロッド本体
３  キャップ部
４  小端部
５  大端部
８  軸受孔
１３  合わせ面（大端部）
１８  外端縁
２３  合わせ面（キャップ部）
３２  チップホルダー
Ｑ  面取り半径基準点
Ｌｊ  孔軸線
Ｌｖ  中心線
【図１】
0003809992.tif 000002
【図２】
0003809992.tif 000003
【図３】
0003809992.tif 000004
【図４】
0003809992.tif 000005